(57)【要約】      （修正有）【課題】比較的重量のある被収容物を収容した場合でも、その運搬を比較的簡単に行い得る吊り下げ袋を提供する。【解決手段】本考案は、樹脂フィルムで一体成形された吊り下げ袋１であって、吊り下げ状態における上端側に開口１１が設けられ、該開口から被収容物を内部に収容する袋本体１０と、上端側から延設されており、前記袋本体を吊り下げ状態に保持すべく把持する把持用ヘッダ２０と、を備え、前記把持用ヘッダには、指を挿入する挿入孔が穿孔されている。【選択図】図１
0003223070.tif 000002
【実用新案登録請求の範囲】
【請求項１】
樹脂フィルムで一体成形された吊り下げ袋であって、
吊り下げ状態における上端側に開口が設けられ、該開口から被収容物を内部に収容する袋本体と、
該袋本体の上端側から延設されており、前記袋本体を吊り下げ状態に保持すべく把持する把持用ヘッダと、を備え、
前記把持用ヘッダには、指を挿入する挿入孔が穿孔されている
吊り下げ袋。
【請求項２】
前記袋本体には、前記開口の開状態と閉状態とを切り換えるシール部材が設けられ、
該シール部材には、互いに係脱可能に係合して、前記開状態と前記閉状態とを切り換える雄シール部と雌シール部とが設けられ、
前記雄シール部と前記雌シール部とのそれぞれは、前記袋本体の互いに対向する内面の一方と他方とにそれぞれ設けられ、かつ、前記開口の下側で左右方向に延びるように設けられ、
前記シール部材が上下方向に間隔を空けて二組設けられており、
二組の前記シール部材の間隔は、５ｍｍ以上１５ｍｍ以下である
請求項１に記載の吊り下げ袋。
【請求項３】
前記雄シール部には、前記左右方向に延在するとともに前記雌シール部に向けて突出する第１突条部が備えられ、
前記雌シール部には、前記左右方向に延在するとともに前記雄シール部に向けて突出する第２突条部と、第３突条部とが備えられ、該第３突条部が前記第２突条部と並行するように前記第２突条部よりも下側に設けられており、
前記第１突条部の先端部には、基端部よりも上方に突出した上側凸部と、基端部よりも下方に突出した下側凸部とが備えられ、
前記第２突条部の下面側には、上方に向けて凹入した上側溝部が形成され、
前記第３突条部の上面側には、下方に向けて凹入した下側溝部が形成されており、
前記係合した状態にある前記シール部材は、前記第２突条部と前記第３突条部との間に前記第１突条部が進入され、前記上側凸部が前記上側溝部に進入されているとともに、前記下側凸部が前記下側溝部に進入されており、かつ、前記下側溝部への前記下側凸部の進入深さが前記上側溝部への前記上側凸部の進入深さよりも深い
請求項２に記載の吊り下げ袋。
【請求項４】
前記袋本体は、平面視において矩形状に形成され、
前記袋本体の左端側及び右端側はそれぞれシールされており、
前記袋本体の左端側及び右端側のシール幅は、それぞれ、５ｍｍ以上１５ｍｍ以下である
請求項１乃至３のいずれか１項に記載の吊り下げ袋。
【請求項５】
前記袋本体には、内部に収容される液体の容量を示す少なくとも１以上の容量表示線が表示されている
請求項１乃至４のいずれか１項に記載の吊り下げ袋。
【請求項６】
前記樹脂フィルムは、バイオプラスチックフィルムである
請求項１乃至５のいずれか１項に記載の吊り下げ袋。
【考案の詳細な説明】
【技術分野】
【０００１】
本考案は、吊り下げ袋に関する。より詳しくは、袋内に収容した被収容物を吊り下げた状態で運搬するために用いられる吊り下げ袋に関する。
【背景技術】
【０００２】
従来、吊り下げた状態で、内部に被収容物を収容する吊り下げ袋が知られている（例えば、特許文献１）。
【０００３】
特許文献１に記載の吊り下げ袋は、プラスチックフィルムで一体成形されたものであり、吊り下げ状態における下端側に開口を有し、該開口から被収容物を内部に収容する袋本体と、前記袋本体を吊り下げた状態に保持すべく、前記袋本体の上端側から延設されたヘッダ部と、を備えており、前記ヘッダ部には、略矩形状の切起し片が設けられている。
【０００４】
そして、特許文献１に記載の吊り下げ袋は、前記開口から被収容物（例えば、景品）を前記袋本体内に収容し、前記開口をシールした後、前記ヘッダに設けられた記切起し片を起こすことにより形成された空間内にペットボトルの首部を挿入することにより、前記ペットボトルの首部に吊り下げた状態で使用される。
【先行技術文献】
【特許文献】
【０００５】
【特許文献１】特開２００２−１９８０２号公報
【考案の概要】
【考案が解決しようとする課題】
【０００６】
上記のごとく、特許文献１に記載の吊り下げ袋は、ペットボトルの首部に吊り下げた状態で使用することを想定したものであることから、その寸法は比較的小さく、袋の内部に収容される被収容物は、前記したような景品などのような比較的軽量なものである。
そのため、このように構成された吊り下げ袋をそのままの構成でスケールアップして、比較的重量のある被収容物（例えば、自然災害時における水）の運搬などを行う袋として用いることは難しい。
【０００７】
そこで、本考案は、比較的重量のある被収容物を収容した場合でも、その運搬を比較的簡単に行い得る吊り下げ袋を提供することを課題とする。
【課題を解決するための手段】
【０００８】
本考案に係る吊り下げ袋は、
樹脂フィルムで一体成形された吊り下げ袋であって、
吊り下げ状態における上端側に開口が設けられ、該開口から被収容物を内部に収容する袋本体と、
該袋本体の上端側から延設されており、前記袋本体を吊り下げ状態に保持すべく把持する把持用ヘッダと、を備え、
前記把持用ヘッダには、指を挿入する挿入孔が穿孔されている。
【０００９】
斯かる構成によれば、前記把持用ヘッダに指を挿入する挿入孔が穿孔されているので、比較的重量のある被収容物を収容した場合でも、前記把持用ヘッダの挿入孔に指を挿入することにより、その運搬を比較的容易に行うことができる。
【００１０】
上記吊り下げ袋では、
前記袋本体には、前記開口の開状態と閉状態とを切り換えるシール部材が設けられ、
該シール部材には、互いに係脱可能に係合して、前記開状態と前記閉状態とを切り換える雄シール部と雌シール部とが設けられ、
前記雄シール部と前記雌シール部とのそれぞれは、前記袋本体の互いに対向する内面の一方と他方とにそれぞれ設けられ、かつ、前記開口の下側で左右方向に延びるように設けられ、
前記シール部材が上下方向に間隔を空けて二組設けられており、
二組の前記シール部材の間隔は、５ｍｍ以上１５ｍｍ以下であることが好ましい。
【００１１】
斯かる構成によれば、二組の前記シール部材の間隔が５ｍｍ以上１５ｍｍ以下であるので、前記袋本体の下側の前記シール部材に意図せぬ力が加わって、下側の前記シール部材が開状態になったとしても、下側の前記シール部材と上側の前記シール部材との間のフィルムで、下側の前記シール部材に加わった力を緩衝することができる。その結果、前記袋本体の上側の二組の前記シール部材が、同時に開状態になることを抑制することができる。
これにより、前記袋本体内に収容した被収容物が意図せずに、前記袋本体の外部に飛び出すことを抑制することができる。
【００１２】
上記吊り下げ袋では、
前記雄シール部には、前記左右方向に延在するとともに前記雌シール部に向けて突出する第１突条部が備えられ、
前記雌シール部には、前記左右方向に延在するとともに前記雄シール部に向けて突出する第２突条部と、第３突条部とが備えられ、該第３突条部が前記第２突条部と並行するように前記第２突条部よりも下側に設けられており、
前記第１突条部の先端部には、基端部よりも上方に突出した上側凸部と、基端部よりも下方に突出した下側凸部とが備えられ、
前記第２突条部の下面側には、上方に向けて凹入した上側溝部が形成され、
前記第３突条部の上面側には、下方に向けて凹入した下側溝部が形成されており、
前記係合した状態にある前記シール部材は、前記第２突条部と前記第３突条部との間に前記第１突条部が進入され、前記上側凸部が前記上側溝部に進入されているとともに、前記下側凸部が前記下側溝部に進入されており、かつ、前記下側溝部への前記下側凸部の進入深さが前記上側溝部への前記上側凸部の進入深さよりも深いことが好ましい。
【００１３】
斯かる構成によれば、前記雌シール部における前記第３突条部に形成された下側溝部への前記雄シール部における前記第１突条部の下側凸部の進入深さが、前記雌シール部における前記第２突条部に形成された上側溝部への前記雄シール部における前記第１突条部の上側凸部の進入深さよりも深くなっているので、前記雄シール部と前記雌シール部との係合状態において、前記上側溝部と前記上側凸部との係合よりも前記下側溝部と前記下側凸部との係合をより強くすることができる。
これにより、前記袋本体内に被収容物を収容したり、前記袋本体内に収容した被収容物を運搬しているときに、前記袋本体の開口が意図せずに開封することをより十分に抑制することができる。
【００１４】
上記吊り下げ袋では、
前記袋本体は、平面視において矩形状に形成され、
前記袋本体の左端側及び右端側はそれぞれシールされており、
前記袋本体の左端側及び右端側のシール幅は、それぞれ、５ｍｍ以上１５ｍｍ以下であることが好ましい。
【００１５】
斯かる構成によれば、平面視において矩形状に形成された前記袋本体の左端側及び右端が、シール幅５ｍｍ以上１５ｍｍ以下でシールされているので、液体などの一定形状を有さない被収容物を収容したときに、このような被収容物によって、前記袋本体の表面側及び裏面側のフィルムを互いに引き離す方向の力が作用したとしても、前記袋本体の両側端側（左右端側）が開封することをより十分に抑制することができる。
【００１６】
上記吊り下げ袋では、
前記袋本体には、内部に収容される液体の容量を示す少なくとも１以上の容量表示線が表示されていることが好ましい。
【００１７】
斯かる構成によれば、前記袋本体には、内部に収容される液体の容量を示す少なくとも１以上の容量表示線が表示されているので、被収容物が液体である場合には、前記容量表示線を確認しながら、所望の容量まで前記袋本体内に液体を収容することができる。
また、前記容量表示線が複数表示されている場合には、前記複数の容量表示線と前記液体の液面との位置関係を確認することにより、前記袋本体内に収容された液体の残容量を見積もることができる。
【００１８】
上記吊り下げ袋では、
前記樹脂フィルムは、バイオプラスチックフィルムであることが好ましい。
【００１９】
斯かる構成によれば、前記樹脂フィルムはバイオプラスチックフィルムであるので、前記吊り下げ袋を焼却処理する場合には、ＰＥＴフィルムなどのような汎用プラスチックフィルムを用いた吊り下げ袋を焼却処理する場合に比べて、低温で焼却処理を行うことができる。これにより、ダイオキシン類の発生を抑制することができる。
上記により、環境に与える負荷を低減しつつ、使用済みの前記吊り下げ袋を処理することができる。
さらに、前記樹脂フィルムをバイオプラスチックとすることにより、フィルム表面へのインク乗りが比較的良好になる。そのため、例えば、前記袋本体に、比較的容易に前記容量表示線を表示することができる。
【考案の効果】
【００２０】
本考案によれば、比較的重量のある被収容物を収容した場合でも、その運搬を比較的簡単に行い得る吊り下げ袋を提供することができる。
【図面の簡単な説明】
【００２１】
【図１】本考案の第１実施形態に係る吊り下げ袋を示す正面図。
【図２】図１の吊り下げ袋のＩＩ−ＩＩ線断面図。
【図３】図２の吊り下げ袋のＩＩＩ部分を拡大した断面図。
【図４】第１実施形態に係る吊り下げ袋の挿入孔を拡大して示した正面図。
【図５】挿入孔に指を挿入した状態を示す要部拡大断面図。
【図６】袋本体を開封した状態を示す要部拡大図。
【図７】袋本体に水を収容した状態を示す断面図。
【図８】図７のＶＩＩＩ部分を拡大して示した断面図。
【図９】シール部材の変形例を示す断面図。
【考案を実施するための形態】
【００２２】
以下、本考案の実施形態について説明する。
【００２３】
本実施形態に係る吊り下げ袋１は、樹脂フィルムで一体成形された吊り下げ袋である。
本実施形態に係る吊り下げ袋１は、図１に示すように、吊り下げ状態における上端側に開口１１が設けられ、該開口１１から被収容物を内部に収容する袋本体１０と、上端側から延設されており、袋本体１０を吊り下げ状態に保持すべく把持する把持用ヘッダ２０と、を備える。
本実施形態に係る吊り下げ袋１１においては、把持用ヘッダ２０には、指を挿入する挿入孔２１が穿孔されている。
【００２４】
本実施形態に係る吊り下げ袋１０は、図１に示すように、平面視において矩形状を有するように作製される。本実施形態に係る吊り下げ袋１０は、例えば、袋本体１０の上下方向の長さが３２ｃｍ、左右方向の長さが２８ｃｍの大きさを有し、左端側及び右端側のシール幅が１〜２ｍｍ程度となるように作製される。本実施形態に係る吊り下げ袋１は、例えば、自然災害時おける水の貯蔵や運搬のためや、水に濡れた衣類（例えば、遊泳後や競泳後の水着）を収容して運搬するためなどに使用される。
【００２５】
本実施形態に係る吊り下げ袋１においては、袋本体１０には、開口１１の開状態（図６参照）と閉状態（図８参照）とを切り換えるシール部材１２が備えられる。
図１に示したように、本実施形態に係る吊り下げ袋１においては、シール部材１２は、上下方向に間隔を空けて二組設けられている。二組のシール部材１２の間隔は、５ｍｍ以上１５ｍｍ以下であることが好ましく、８ｍｍ以上１５ｍｍ以下であることがより好ましく。１０ｍｍ以上１５ｍｍ以下であることがさらに好ましい。
【００２６】
上記樹脂フィルムとしては、合成樹脂フィルムや天然樹脂フィルムなどの各種公知の樹脂フィルムを用いることができる。
合成樹脂フィルムとしては、例えば、ポリエチレン、ポリプロピレン、ポリブテン、エチレン−ビニルアルコール共重合体、ポリスチレン、ポリエチレンテレフタレート、ポリブチレンテレフタレート、ポリエチレン−２，６−ナフタレート、ポリアミド６、ポリアミド６，６、ポリアミド１１、芳香族ポリアミド、ポリカーボネート、ポリ塩化ビニル、ポリ塩化ビニリデン、及び、ポリイミド等の各種合成樹脂の一種または複数種からなるフィルムが挙げられる。
天然樹脂フィルムとしては、例えば、トウモロコシやサトウキビ等の天然材料から得られるバイオプラスチックフィルムが挙げられる。
樹脂フィルムは、上記各種の合成樹脂と天然材料とを組み合わせることにより得られたフィルムであってもよい。
これらの各種フィルムの中でも、樹脂フィルムとしては、バイオプラスチックフィルムを用いることが好ましい。バイオプラスチックフィルムの燃焼熱は、ＰＥＴフィルムなどのような汎用プラスチックフィルムの燃焼熱に比べて小さいので、バイオプラスチックフィルムを用いた吊り下げ袋１０を焼却処理する場合には、ＰＥＴフィルムなどのような汎用フィルムを用いた吊り下げ袋を焼却処理する場合に比べて、低温で焼却処理を行うことができる。これにより、ダイオキシン類の発生を抑制することができるので、環境に与える負荷を低減しつつ、使用済みの吊り下げ袋１０を処理することができる。
さらに、フィルム表面へのインク乗りが比較的良好になるので、後述する容量表示線１３や日付・名前表示欄１４を袋本体１０に比較的容易に表示することができる。
【００２７】
上述のように、本実施形態に係る吊り下げ袋１は、樹脂フィルムを一体成形することにより得られるものであるが、樹脂フィルムを袋体に一体成形する方法としては、例えば、インフレーション法が挙げられる。
【００２８】
本実施形態に係る吊り下げ袋１において、袋本体１０は、上方から下方に向かうにつれて、段階的に肉厚が薄くなるように構成されている。より具体的には、袋本体１０の上側部分は、肉厚２５０μｍの樹脂シートで構成され、中央部分は、肉厚２００μｍの樹脂シートで構成され、下側部分は、肉厚１８０μｍの樹脂シートで構成されている。
また、把持用ヘッダ２０は、肉厚２５０μｍの樹脂シートで構成されている。
本実施形態に係る吊り下げ袋１は、上記のごとく構成されているので、比較的大量の水（例えば、２Ｌ以上）や水に濡れた衣類などの比較的質量の大きい被収容物を袋本体１０内に収容した場合であっても、該被収容物の質量による荷重を好適に吸収することができる。また、１８０μｍ〜２５０μｍという肉厚は、汎用樹脂シートの肉厚である４０μｍ〜５０μｍと比べて有意に厚いため、被収容物の質量による荷重に対する耐久性が極めて良好となる。
なお、本明細書において、袋本体１０の上側部分とは、袋本体１０の上下方向の全長のうちの、上端から１／３までの部分を意味し、袋本体１０の下側部分とは、袋本体の上下方向の全長のうちの、下端から１／３のまでの部分を意味し、袋本体１０の中央部分とは、袋本体１０の上側部分と下側部分との間の部分を意味する。
【００２９】
本実施形態では、袋本体１０の一方側（図１における表面側）には、図１に示すように、内部（袋本体１０内）に収容される液体の容量を示す少なくとも１以上の容量表示線１３が表示されている。
本実施形態では、袋本体１０の一方面に、左右方向に延びる２本の容量表示線１３ａ、１３ｂが表示されている。本実施形態では、２本の容量表示線１３ａ、１３ｂは、上側から順に、３Ｌ、２Ｌの容量を表示するものであり、上部の容量表示線１３ａは、袋本体１０に収容し得る液体の最大容量を示している。
【００３０】
本実施形態では、袋本体１０の一方面における下部の容量表示線１３ｂの下方に、日付・名前表示欄１４が設けられている。この日付・名前表示欄１４は、例えば、液体を袋本体１０に収容した日付や、吊り下げ袋１の使用者の氏名を記入するための欄である。
【００３１】
シール部材１２には、互いに係脱可能に係合して、前記開状態と前記閉状態とを切り換える雄シール部１２ａと雌シール部１２ｂとが設けられていて、雄シール部１２ａと雌シール部１２ｂとのそれぞれは、袋本体１０の互いに対向する内面の一方と他方とにそれぞれ設けられており、開口１１の下側で左右方向に延びている。
本実施形態では、袋本体１０の一方の内面に、２組の雄シール部１２ａが設けられ、袋本体１０の他方の内面に、２組の雌シール部１２ｂが設けられている。
【００３２】
図３に示すように、雄シール部１２ａには、左右方向に延在するとともに雌シール部１２ｂに向けて突出する第１突条部１２ａ１が備えられ、第１突条部１２ａ１の先端部には、基端部よりも上方に突出した上側凸部１２ａ１ａと、基端部よりも下方に突出した下側凸部１２ａ１ｂとが備えられている。本実施形態では、上側凸部１２ａ１ａは、第１突条部１２ａ１の先端部から、第１突条部１２ａ１の延出方向に対して略垂直上方に断面円状に突出するように構成され、下側凸部１２ａ１ｂは、第１突条部１２ａ１の先端部から、第１突条部１２ａ１の延出方向に対して略垂直下方に断面円状に突出するように構成されている。
【００３３】
また、図３に示すように、雌シール部１２ｂには、左右方向に延在するとともに雄シール部１２ａに向けて突出する第２突条部１２ｂ１と、第３突条部１２ｂ２とが備えられており、第３突条部１２ｂ２は、第２突条部１２ｂ１と並行するように第２突条部１２ｂ１よりも下側に設けられている。
そして、第２突条部１２ｂ１の下面側には、上方に向け凹入した上側溝部１２ｂ３が形成され、第３突条部１２ｂ２の上面側には、下方に向けて凹入した下側溝部１２ｂ４が形成されている。本実施形態では、第２突条部１２ｂ１が基端から先端に向かって下方にカーブしながら延びて構成されることにより、第２突条部１２ｂ１の下面側に、上方に向けて凹入した上側溝部１２ｂ３が形成されており、第３突条部１２ｂ２が基端から先端に向かって上方にカーブしながら第２突条部１２ｂ１よりも長い長さで延びて構成されることにより、第３突条部１２ｂ２の上面側に、下方に向けて凹入した下側溝部１２ｂ４が形成されている。
【００３４】
そして、シール部材１２の係合状態（図８に示す閉状態）においては、第２突条部１２ｂ１と第３突条部１２ｂ２との間に第１突条部１２ａ１が進入され、上側凸部１２ａ１ａが上側溝部１２ｂ３に進入され、下側凸部１２ａ１ｂが下側溝部１２ｂ４に進入される。本実施形態では、第３突条部１２ｂ２の長さが第２突条部１２ｂ１に長さよりも長くなっているので、下側溝部１２ｂ４への下側凸部１２ａ１ｂの進入深さが、上側溝部１２ｂ３の上側凸部１２ａ１ａの進入深さよりも深くなる
そのため、雄シール部１２ａと雌シール部１２ｂとの係合状態において、上側溝部１２ｂ３と上側凸部１２ａ１ａとの係合よりも下側溝部１２ｂ４と下側凸部１２ａ１ｂとの係合をより強くすることができる。
これにより、袋本体１０内に被収容物を収容したり、袋本体１０内に収容した被収容物を運搬しているときに、開口１１が意図せずに開封することをより十分に抑制することができる。
【００３５】
本実施形態においては、図３に示すように、袋本体１０の一方の内面には、雄シール部１２ａと雌シール部１２ｂとの間に、一方の内面から他方の内面に向かって突出する突出部１５が互いに間隔を空けて５個設けられている。
【００３６】
図１及び４に示すように、本実施形態に係る吊り下げ袋１においては、把持用ヘッダ２０には、４個の挿入孔２１ａ、２１ｂ、２１ｃ、２１ｄが並列して穿孔されている。この４個の挿入孔２１ａ、２１ｂ、２１ｃ、２１ｄのうち、左右端側の挿入孔２１ａ、２１ｄの穿孔位置は、中央側の挿入孔２１ｂ、２１ｃの穿孔位置よりも上側となっている。そして、左右端側の挿入孔２１ａ、２１ｄは、上下方向の略同一位置に穿孔され、中央側の挿入孔２１ｂ、２１ｃは、上下方向の略同一位置に穿孔されている。
なお、左右端側の挿入孔２１ａ、２１ｄには、人差し指と小指とがそれぞれ挿入され、中央側の挿入孔２１ｂ、２１ｃには、中指と薬指とがそれぞれ挿入される。
【００３７】
挿入孔２１ａ、２１ｂ、２１ｃ、２１ｄは、上向きに幅広となる第１曲線を上縁部２２に有し、上向きに幅広となる第２曲線を下縁部２３に有し、前記第１曲線の左端部と前記第２曲線の左端部とが連結され、前記第１曲線の右端部と前記第２曲線の右端部とが連結されることにより構成されている。
挿入孔２１ａ、２１ｂ、２１ｃ、２１ｄにおいて、前記第１曲線の最下端側（底部側）の部分２２ａ、２２ｂ、２２ｃ、２２ｄは、やや鋭くなっているのに対し、前記第２曲線の最下端側（底部側）の部分２３ａ、２３ｂ、２３ｃ、２３ｄは、前記第１曲線の最下端側（底部側）２２ａ、２２ｂ、２２ｃ、２２ｄの部分よりも緩やかになっている。
【００３８】
そして、上縁部２２の上方側における把持用ヘッダの部分は、挿入孔２１ａ、２１ｂ、２１ｃ、２１ｄに指を挿入したときに、指に対する復元力によって指を保持する保持片２４ａ、２４ｂ、２４ｃ、２４ｄとして形成されている。
また、４個の挿入孔２１ａ、２１ｂ、２１ｃ、２１ｄのうち、中央側の挿入孔２１ｂ、２１ｃの上方側に位置する保持片２４ｂ、２４ｃの上下方向の長さは、左右端側の挿入孔２１ａ、２１ｄの上方側に位置する保持片２４ａ、２４ｄの上下方向の長さよりも長く形成されている。
【００３９】
本実施形態では、４個の挿入孔２１ａ、２１ｂ、２１ｃ、２１ｄが上記のごとく構成されているので、図５に示したように、指Ｆを挿入したときに、挿入孔２１ａ、２１ｂ、２１ｃ、２１ｄの上方側に位置する保持片２４ａ、２４ｂ、２４ｃ、２４ｄが撓んで、撓み方向とは逆方向の復元力が保持片２４ａ、２４ｂ、２４ｃ、２４ｄに生じ、その復元力が４個の挿入孔２１ａ、２１ｂ、２１ｃ、２１ｄに挿入されたそれぞれの指に作用して、挿入孔２１ａ、２１ｂ、２１ｃ、２１ｄ内において、各指（人差し指、中指、薬指、及び、小指）が確実に保持されることとなる。これにより、各指が挿入孔２１ａ、２１ｂ、２１ｃ、２１ｄから意図せずに抜けることを抑制することができる。
【００４０】
より詳細に説明すれば、４個の挿入孔２１ａ、２１ｂ、２１ｃ、２１ｄの上下方向の長さ、具体的には、上縁２２の最下部２２ａ、２２ｂ、２２ｃ、２２ｄから下縁部２３の最下部２３ａ、２３ｂ、２３ｃ、２３ｄまでの長さは、挿入される各指（人差し指、中指、薬指、及び、小指）の上下方向の幅（指腹と指背との間隔）に比べて狭く形成されている。そのため、４個の挿入孔２１ａ、２１ｂ、２１ｃ、２１ｄに各指を挿入したときには、各指が保持片２４ａ、２４ｂ、２４ｃ、２４ｄに当たるようになって、保持片２４ａ、２４ｂ、２４ｃ、２４ｄが撓んで各指に復元力が作用するようになる。
【００４１】
しかも、４個の挿入孔２１ａ、２１ｂ、２１ｃ、２１ｄの上方側においては、撓んだ保持片２４ａ、２４ｂ、２４ｃ、２４ｄが各指に接触するが、上縁部２２自体は直接各指に接触しないことから、４個の挿入孔２１ａ、２１ｂ、２１ｃ、２１ｄに各指を挿入しているときに指背側の痛さはある程度緩和されることとなる。
また、４個の挿入孔２１ａ、２１ｂ、２１ｃ、２１ｄの下方側においては、下縁部２３自体が各指に直接接触することになるものの、上述のように、下縁部２３を構成する前記第２曲線の最下端側の部分２３ａ、２３ｂ、２３ｃ、２３ｄは、上縁部２２を構成する前記第１曲線の最下端側の部分２２ａ、２２ｂ、２２ｃ、２２ｄよりも緩やかになっているため、指腹側の痛さは緩和されることとなる。
【００４２】
さらに、本実施形態においては、中央側の２個の挿入孔２１ｂ、２１ｃの上方側の保持片２４ｂ、２４ｃの長さが、左右端側の２個の挿入孔２１ａ、２１ｄの上方側の保持片２４ａ、２４ｄの長さよりも長くなっているため、左右端側の挿入孔２１ａ、２１ｄに挿入される人差し指や小指よりも上下方向の幅が大きい中指や薬指が、中央側の挿入孔２１ｂ、２１ｃに挿入されたときに、中指や薬指に対して、保持片２４ｂ、２４ｃの復元力がより有効に作用する。これにより、吊り下げ袋１をより安定した状態で把持することができる。
【００４３】
次に、本実施形態に係る吊り下げ袋１の使用例について説明する。以下では、袋本体１０に収容する被収容物を液体である水とした例について説明する。
【００４４】
まず、図６に示すように、シール部材１２を互いに脱合状態にし、袋本１０の開口１１を開状態にして、袋本体１０内に被収容物である水を所定量収容する。
【００４５】
次に、図７及び８に示すように、シール部材１２を互いに係合させて、袋本体１０の開口１１を閉状態にする。袋本体１０の開口１１を閉状態にすることにより、図７に示すように、袋本体１０を密閉した状態で、袋本体１０内に水を収容することができる。
このようにして袋本体１０内に収容した水を貯蔵することができる。
また、把持用ヘッド２０に穿孔された４個の挿入孔２１ａ、２１ｂ、２１ｃ、２１ｄに、各指（人差し指、中指、薬指、及び、小指）をそれぞれ挿入することにより、袋本体１０内に収容した水を運搬することができる。
【００４６】
上述の実施形態は、本考案を説明するためのものであり、本考案の範囲を限定するものではない。つまり、本考案の範囲は、実施形態ではなく、実用新案登録請求の範囲によって示される。そして、実用新案登録請求の範囲内およびそれと同等の考案の意義の範囲内で施される様々な変形が、本考案の範囲内とみなされる。
【００４７】
上記実施形態では、吊り下げ袋１０を平面視において矩形状に作製し、袋本体１０の左端側及び右端側のシール幅を１〜２ｍｍ程度をする例について説明したが、袋本体１０の左端側及び右端側のシール幅はこれに限られるものではない。例えば、袋本体１０の左端側及び右端側のシール幅は、５ｍｍ以上１５ｍｍ以下としてもよい。このように構成することにより、液体などの一定形状を有さない被収容物を収容したときに、このような被収容物によって、袋本体１０の表面側及び裏面側のフィルムを互いに引き離す方向の力が作用したとしても、袋本体１０の両側端側（左右端側）が開封することをより十分に抑制することができる。
【００４８】
上記実施形態では、雄シール部１２ａにおいて、上側凸部１２ａ１ａが、第１突条部１２ａ１の先端部から、第１突条部１２ａ１の延出方向に対して略垂直上方に断面円状に突出するように構成され、下側凸部１２ａ１ｂが、第１突条部１２ａ１の先端部から、第１突条部１２ａ１の延出方向に対して略垂直下方に断面円状に突出するように構成され、雌シール部１２ｂにおいて、第２突条部１２ｂ１が基端から先端に向かって下方にカーブしながら延びて構成されることにより、第２突条部１２ｂ１の下面側に、上方に向けて凹入した上側溝部１２ｂ３が形成され、第３突条部１２ｂ２が基端から先端に向かって上方にカーブしながら第２突条部１２ｂ１よりも長い長さで延びて構成されることにより、第３突条部１２ｂ２の上面側に、下方に向けて凹入した下側溝部１２ｂ４が形成される例について説明したが、雄シール部１２ａ及び雌シール部１２ｂを構成する例はこれに限られない。
【００４９】
例えば、図９（ａ）に示すように、雄シール部１２ａにおいて、上側凸部１２ａ１ａが、第１突条部１２ａ１の先端部から、第１突条部１２ａ１の延出方向に対して略垂直上方に断面矩形状に突出するように構成され、下側凸部１２ａ１ｂが、第１突条部１２ａ１の先端部から、第１突条部１２ａ１の延出方向に対して略垂直下方に断面矩形状に突出するように構成され、雌シール部１２ｂにおいて、第２突条部１２ｂ１が基端から先端に向かって直進した後、直進方向に対して略垂直下方に延びて構成されることにより、第２突条部１２ｂ１の下面側に、上方に向けて凹入した上側溝部１２ｂ３が形成され、第３突条部１２ｂ２が基端から先端に向かって直進した後、直進方向に対して略垂直上方に第２突条部１２ｂ１よりも長い長さで延びて構成されることにより、第３突条部１２ｂ２の上面側に、下方に向けて凹入した下側溝部１２ｂ４が形成されてもよい。
このようにしても、上記実施形態と同様に、下側溝部１２ｂ４への下側凸部１２ａ１ｂの進入深さを上側溝部１２ｂ３への上側凸部１２ａ１ａの進入深さよりも深くすることができる。
【００５０】
あるいは、例えば、図９（ｂ）に示すように、雄シール部１２ａにおいて、上側凸部１２ａ１ａが、第１突条部１２ａ１の先端部から基端部に向かって幅広となるように、上方に傾斜しながら延びるように構成され、下側凸部１２ａ１ｂが、第１突条部１２ａ１の先端から基端に向かって幅広となるように、下方に傾斜しながら上側凸部１２ａ１ａの傾斜部分よりも長く延びるように構成され、雌シール部１２ｂにおいて、第２突条部１２ｂ１が基端から先端に向かって下方に傾斜しながら延び、さらに、先端から基端に向かって下方に傾斜しながら延びて構成されることにより、第２突条部１２ｂ１の下面側に、上方に向けて凹入した上側溝部１２ｂ３が形成され、第３突条部１２ｂ２が基端から先端に向かって上方に傾斜しながら延び、さらに、先端から基端に向かって上方に傾斜しながら第２突条部１２ｂ１の先端から基端への傾斜部分よりも長く延びて構成されることにより、第３突条部１２ｂ２の上面側に、下方に向けて凹入した下側溝部１２ｂ４が形成されてもよい。
このようにしても、上記実施形態と同様に、下側溝部１２ｂ４への下側凸部１２ａ１ｂの進入深さを上側溝部１２ｂ３への上側凸部１２ａ１ａの進入深さよりも深くすることができる。
【００５１】
上記実施形態では、挿入孔２１ａ、２１ｂ、２１ｃ、２１ｄが、上向きに幅広となる第１曲線を上縁部２２に有し、上向きに幅広となる第２曲線を下縁部２３に有し、前記第１曲線の左端部と前記第２曲線の左端部とが連結され、前記第１曲線の右端部と前記第２曲線の右端部とが連結されることにより構成される例について説明したが、挿入孔２１ａ、２１ｂ、２１ｃ、２１ｄを構成する例にこれに限られるものではない。例えば、挿入孔２１ａ、２１ｂ、２１ｃ、２１ｄは、円状に穿孔されて構成されてもよい。
【００５２】
上記実施形態では、把持用ヘッダ２０の互い対向する内面に、相互に突き合わせ可能な突出部を設けない例について説明したが、把持用ヘッダ２０の互いに対向する内面に、このような突出部を設けてもよい。
【００５３】
上記実施形態では、雄シール部１２ａと雌シール部１２ｂとの間に、袋本体の一方の内面から他方の内面に向かって突出する突出部１５が互いに間隔を空けて５個設けられる例について説明したが、相互に突き合わせ可能となるように、突出部１５を袋本体の一方の内面及び他方の内面のそれぞれに５個ずつ設けてもよい。
このように構成することにより、袋本体１０の開口１１は、二組の雄シール部１２ａと雌シール部１２ｂとの係合に加えて、突出部１５を突き合わせることによっても封止されるため、袋本体１０の開口１１の封止状態が良好になる。そのため、袋本体１０に被収容物としての液体を収容して運搬しているときに、袋本体１０の開口１１が意図せずに開封して、収容した液体が外部に飛び出すことを抑制することができる。
【００５４】
上記実施形態では、上下方向に間隔を空けて、袋本体１０に二組のシール部材１２を設ける例について説明したが、シール部材を設ける例はこれに限られない。袋本体１０に設けるシール部材は、一組であってもよいし、上下方向に間隔を空けて、三組以上設けられてもよい。
【００５５】
上記実施形態では、袋本体１０に、収容される液体の容量を示す容量表示線１３を表示すとともに、日付・名前表示欄１４を設ける例について説明したが、袋本体１０には、容量表示線１３のみが表示されていてもよいし、日付・名前表示欄１４のみが設けられていてもよい。あるいは、袋本体１０には、容量表示線１３が表示されておらず、かつ、日付・名前表示欄１４が設けられていなくてもよい。
【００５６】
上記実施形態では、袋本体１０の一方面に、２組の雄シール部１２ａが設けられ、袋本体１０の他方面に、２組の雌シール部１２ｂが設けられる例について説明したが、雄シール部１２ａ及び雌シール部１２ｂを設ける例はこれに限られない。例えば、袋本体１０の一方面及び他方面のそれぞれに、互いに間隔を空けて、雄シール部１２ａと雌シール部１２ｂとが一つずつ設けられてもよい。
【符号の説明】
【００５７】
１：吊り下げ袋、１０：袋本体、１１：開口、１２：シール部材、１３：容量表示線、１４：日付・名前表示欄、１５：突出部、２０：把持用ヘッダ、２１、２１ａ、２１ｂ、２１ｃ、２１ｄ：挿入孔、２２：上縁部、２３：下縁部、
１２ａ：雄シール部、１２ｂ：雌シール部、１２ａ１：第１突条部、１２ａ１ａ：上側凸部、１２ａ１ｂ：下側凸部、１２ｂ１：第２突条部、１２ｂ２：第３突条部、１２ｂ３：上側溝部、１２ｂ４：下側溝部、２２ａ、２２ｂ、２２ｃ、２２ｄ：最下端部、２３ａ、２３ｂ、２３ｃ、２３ｄ：最下端部、２４ａ、２４ｂ、２４ｃ、２４ｄ：保持片。
【図１】
0003223070.tif 000003
【図２】
0003223070.tif 000004
【図３】
0003223070.tif 000005
【図４】
0003223070.tif 000006
【図５】
0003223070.tif 000007
【図６】
0003223070.tif 000008
【図７】
0003223070.tif 000009
【図８】
0003223070.tif 000010
【図９】
0003223070.tif 000011